(57)【要約】【課題】  適切な時期にユーザに電池の充電勧告通知を行い、かつ同ユーザが電池の残存容量を意識することなく使用できる携帯電話機を提供する。【解決手段】各機能毎の電池消費量が演算部２２で算出され、現在から過去の一定期間内で累積されて期間内電池消費量データとして記憶部２５に記憶される。比較部２３ａは、記憶部２５に記憶されている期間内電池消費量データと電池１９の残存容量とを比較し、同期間内電池消費量データが同残存容量よりも大きい場合、ユーザに充電勧告通知を行うので、同ユーザは、電池切れになる前に充電の必要性の有無を判断でき、電池残量を意識することなく、携帯電話機を使用できる。また、電池１９に対する充電量から単位時間あたりの充電量がわかるので、１日に必要とする電池消費量と単位時間あたりの充電量とを比較することにより、必要最低限の時間で充電することが可能となる。【選択図】図２
2006033409.tif 000002
【特許請求の範囲】
【請求項１】
二次電池を電源として所定の動作を行う携帯電話機であって、
現在から過去の一定期間における当該携帯電話機の使用状況に基づいて、現在以降の所定の期間内に前記二次電池に対する充電が必要か否かを判定し、必要と判定した場合、ユーザに対して前記二次電池の充電を促すための充電勧告通知を行う二次電池管理手段が設けられていることを特徴とする携帯電話機。
【請求項２】
当該携帯電話機は、１つ又は複数の機能を有し、
前記二次電池管理手段は、
当該携帯電話機の単位時間あたりの電池消費量を表す単位時間消費量を前記各機能毎に予め記憶する第１の記憶手段と、
当該携帯電話機の使用時間を前記各機能毎に計測する計時手段と、
第１の記憶手段に記憶されている前記単位時間消費量及び前記計時手段で計測された前記使用時間に基づいて前記各機能毎の電池消費量を算出する演算手段と、
該演算手段で算出された前記各機能毎の電池消費量が現在から過去の一定期間内で累積されてなる期間内電池消費量データを記憶する第２の記憶手段と、
前記二次電池の残存容量を検出する残存容量検出手段と、
前記期間内電池消費量データと前記二次電池の残存容量とを比較し、該期間内電池消費量データよりも該残存容量の方が少ないとき、前記充電勧告通知を行う充電勧告通知手段とを備えてなることを特徴とする請求項１記載の携帯電話機。
【請求項３】
前記期間内電池消費量データは、
現在から２４時間前までの期間における電池消費量に設定されていることを特徴とする請求項２記載の携帯電話機。
【請求項４】
前記充電勧告通知手段は、
ユーザにより設定された時刻に前記充電勧告通知を行う構成とされていることを特徴とする請求項２記載の携帯電話機。
【請求項５】
前記期間内電池消費量データは、現在から複数日前までの期間における電池消費量であり、
前記演算手段は、
該期間内電池消費量データ及び期間に基づいて１日あたりの電池消費量を算出する構成とされ、
前記演算手段で算出された１日あたりの電池消費量と前記二次電池の残存容量とを比較し、該二次電池の残余時間を通知する残余時間通知手段が設けられていることを特徴とする請求項２記載の携帯電話機。
【請求項６】
前記残余時間通知手段は、
ユーザにより設定された時刻に前記二次電池の残余時間を通知する構成とされていることを特徴とする請求項５記載の携帯電話機。
【請求項７】
二次電池を電源として所定の動作を行う携帯電話機に用いられ、
現在から過去の一定期間における当該携帯電話機の使用状況に基づいて、現在以降の所定の期間内に前記二次電池に対する充電が必要か否かを判定し、必要と判定した場合、ユーザに対して前記二次電池の充電を促すための充電勧告通知を行うことを特徴とする二次電池管理方法。
【請求項８】
コンピュータに請求項１乃至６のうちのいずれか一に記載の携帯電話機を制御させるための二次電池管理制御プログラム。
【発明の詳細な説明】
【技術分野】
【０００１】
この発明は、携帯電話機、該携帯電話機に用いられる二次電池管理方法及び二次電池管理制御プログラムに係り、特に、ユーザが二次電池の残存容量を意識せずに用いる場合に好適な携帯電話機、該携帯電話機に用いられる二次電池管理方法及び二次電池管理制御プログラムに関する。
【背景技術】
【０００２】
二次電池を電源として動作する携帯電話機では、電源を入れたとき、同二次電池の残存容量が表示部に自動的に表示され、また、所定の操作により、同残存容量のレベルを表す画面が表示されると共に同レベルに対応した発信音が発せられるようになっている。
【０００３】
この種の携帯電話機は、従来では、たとえば図５に示すように、アンテナ１と、無線部２と、メモリ部３と、キー操作部４と、制御部５と、表示部６と、スピーカ７と、カメラ８と、電池９と、電池監視部１０とから構成されている。アンテナ１は、図示しない無線基地局から発射された電波Ｗを受信する。無線部２は、アンテナ１を介して無線データの送受信処理を行い、同アンテナ１を介して電波Ｗを受信したとき、同電波Ｗに対応した受信信号Ｒを生成する。メモリ部３は、ＲＡＭ（Randam Access Memory）やＲＯＭ（Read Only Memory）などで構成され、携帯電話機を動作させるための各種プログラムや、ユーザのＩＤ情報、電話番号などの当該携帯電話機に固有の情報を記憶している他、ユーザがダウンロードしたメロディや画像などのデータも記憶する。キー操作部４は、たとえば、送信キー、英字／カナ／漢字／数字の変換キー、電源のオン／オフキー、カーソル操作を行うための十文字キー、及び終了キーなどから構成され、ユーザの操作により、文字などの入力や項目の選択などの各種操作を行うための手段である。
【０００４】
制御部５は、ＣＰＵ（中央処理装置）などで構成され、当該携帯電話機全体を制御する。表示部６は、たとえば液晶表示装置などで構成され、電池８の残存容量のレベルや日時などの各種情報の表示を行う。スピーカ７は、着信音を鳴動することにより、ユーザに対して聴覚的に着信を通知する他、通話音声を発声する。カメラ８は、たとえばＣＣＤカメラなどで構成され、当該携帯電話機近辺の画像を取り込む。電池９は、たとえばリチウムイオン電池などで構成され、当該携帯電話機の電源として用いられる。電池監視部１０は、電池９の電圧ｖをＡ／Ｄ（アナログ／デジタル）変換するＡ／Ｄ変換器などで構成されている。
【０００５】
この携帯電話機では、電源を入れたとき、たとえば、図６（ａ）に示すように、電池８の残存容量が表示部６の残存容量表示領域６ａに自動的に表示される。この場合、残存容量が十分残っているとき、図６（ｂ）に示すように、セグメントｓ１，ｓ２，ｓ３が全て表示される。一方、残存容量が少なくなっているとき、図６（ｃ）に示すように、セグメントｓ１，ｓ２が表示される。また、残存容量が殆どないとき、図６（ｄ）に示すように、セグメントｓ１のみが表示される。
【０００６】
また、ユーザが電池９の残存容量を表示させる操作を行うことにより、同残存容量のレベルを表す画面が表示されると共に同レベルに対応した発信音が発せられる。この場合、残存容量が十分残っているとき、図７（ａ）に示すように、図６（ｂ）の表示領域６ａが拡大されて表示されると共に“十分残っています”が表示され、かつ発信音“ピッピッピッ”が発せられる。残存容量が少なくなっているとき、図７（ｂ）に示すように、図６（ｃ）の表示領域６ａが拡大されて表示されると共に“まだ大丈夫です”が表示され、かつ発信音“ピッピッ”が発せられる。残存容量が殆どないとき、図７（ｃ）に示すように、図６（ｄ）の表示領域６ａが拡大されて表示されると共に“そろそろ充電です”が表示され、かつ発信音“ピッ”が発せられる。
【０００７】
このように、この携帯電話機では、ユーザが表示画面を能動的に目視することにより、電池８の残存容量を確認しなければならないため、目視したときには残存容量が殆どない状態になっていることがある。このため、ユーザは、電池８の残存容量を確認しても、この後に携帯電話機を使用できないことがあるという問題点がある。
【０００８】
このような問題点を改善する技術としては、従来では、たとえば次のような文献に記載されるものがあった。
特許文献１に記載された携帯電話機（同文献では「移動無線端末」）では、ユーザがキー入力部を操作することにより、充電を促すための電池残量の値が設定される。そして、電池電圧検出回路で検出された電池の電圧が設定値にまで下がってきたとき、この旨が表示部に表示され、この後、所定時間が経過すると、報知音が発声する。このため、電池の消耗に伴う充電の推奨報知が適切に行われる。
【特許文献１】特開２００１−６９２０７号公報（要約書、図１）
【発明の開示】
【発明が解決しようとする課題】
【０００９】
しかしながら、上記従来の携帯電話機では、次のような問題点があった。
すなわち、特許文献１に記載された携帯電話機では、ユーザの操作により、充電を促すための電池残量の設定が行われ、また、その設定値を電池残量が下回った時点で充電を促すための報知が行われるが、電池の残存容量の値の設定は、ユーザの経験や勘に頼るものであるため、設定値が適切でない場合には、必要以上に早く報知が行われたり、あるいは、充電が必要な状態になっても報知が行われないという問題点がある。
【００１０】
この発明は、上述の事情に鑑みてなされたもので、適切な時期にユーザに充電勧告通知を行い、かつ同ユーザが電池の残存容量を意識することなく使用できる携帯電話機を提供することを目的としている。
【課題を解決するための手段】
【００１１】
上記課題を解決するために、請求項１記載の発明は、二次電池を電源として所定の動作を行う携帯電話機に係り、現在から過去の一定期間における当該携帯電話機の使用状況に基づいて、現在以降の所定の期間内に前記二次電池に対する充電が必要か否かを判定し、必要と判定した場合、ユーザに対して前記二次電池の充電を促すための充電勧告通知を行う二次電池管理手段が設けられていることを特徴としている。
【００１２】
請求項２記載の発明は、請求項１記載の携帯電話機に係り、当該携帯電話機は、１つ又は複数の機能を有し、前記二次電池管理手段は、当該携帯電話機の単位時間あたりの電池消費量を表す単位時間消費量を前記各機能毎に予め記憶する第１の記憶手段と、当該携帯電話機の使用時間を前記各機能毎に計測する計時手段と、第１の記憶手段に記憶されている前記単位時間消費量及び前記計時手段で計測された前記使用時間に基づいて前記各機能毎の電池消費量を算出する演算手段と、該演算手段で算出された前記各機能毎の電池消費量が現在から過去の一定期間内で累積されてなる期間内電池消費量データを記憶する第２の記憶手段と、前記二次電池の残存容量を検出する残存容量検出手段と、前記期間内電池消費量データと前記二次電池の残存容量とを比較し、該期間内電池消費量データよりも該残存容量の方が少ないとき、前記充電勧告通知を行う充電勧告通知手段とを備えてなることを特徴としている。
【００１３】
請求項３記載の発明は、請求項２記載の携帯電話機に係り、前記期間内電池消費量データは、現在から２４時間前までの期間における電池消費量に設定されていることを特徴としている。
【００１４】
請求項４記載の発明は、請求項２記載の携帯電話機に係り、前記充電勧告通知手段は、ユーザにより設定された時刻に前記充電勧告通知を行う構成とされていることを特徴としている。
【００１５】
請求項５記載の発明は、請求項２記載の携帯電話機に係り、前記期間内電池消費量データは、現在から複数日前までの期間における電池消費量であり、前記演算手段は、該期間内電池消費量データ及び期間に基づいて１日あたりの電池消費量を算出する構成とされ、前記演算手段で算出された１日あたりの電池消費量と前記二次電池の残存容量とを比較し、該二次電池の残余時間を通知する残余時間通知手段が設けられていることを特徴としている。
【００１６】
請求項６記載の発明は、請求項５記載の携帯電話機に係り、前記残余時間通知手段は、ユーザにより設定された時刻に前記二次電池の残余時間を通知する構成とされていることを特徴としている。
【００１７】
請求項７記載の発明は、二次電池管理方法に係り、二次電池を電源として所定の動作を行う携帯電話機に用いられ、現在から過去の一定期間における当該携帯電話機の使用状況に基づいて、現在以降の所定の期間内に前記二次電池に対する充電が必要か否かを判定し、必要と判定した場合、ユーザに対して前記二次電池の充電を促すための充電勧告通知を行うことを特徴としている。
【００１８】
請求項８記載の発明は、二次電池管理制御プログラムに係り、コンピュータに請求項１乃至６のうちのいずれか一に記載の携帯電話機を制御させることを特徴としている。
【発明の効果】
【００１９】
この発明の構成によれば、二次電池管理手段により、現在から過去の一定期間における当該携帯電話機の使用状況に基づいて、現在以降の所定の期間内に二次電池に対する充電が必要か否かが判定され、必要と判定された場合、ユーザに対して同二次電池の充電を促すための充電勧告通知が行われるので、ユーザは、電池切れになる前に充電の必要性の有無を判断でき、電池残量を意識することなく、携帯電話機を使用できる。また、二次電池に対する充電量から単位時間あたりの充電量がわかるので、１日に必要とする電池消費量と単位時間あたりの充電量とを比較することにより、必要最低限の時間で充電することが可能となる。また、残余時間通知手段により、二次電池の残余時間が通知されるので、ユーザは、電池切れになる前に充電の必要性の有無を判断でき、電池残量を意識することなく、携帯電話機を使用できる。
【発明を実施するための最良の形態】
【００２０】
現在から過去の一定期間における当該携帯電話機の使用状況に基づいて、たとえば２４時間以内に二次電池を充電する必要があるか否かを判定し、必要と判定した場合、ユーザに対して同二次電池の充電を促すための充電勧告通知を行う携帯電話機を提供する。
【実施例１】
【００２１】
図１は、この発明の第１の実施例である携帯電話機の要部の電気的構成を示すブロック図である。
この例の携帯電話機は、同図に示すように、アンテナ１１と、無線部１２と、メモリ部１３と、キー操作部１４と、制御部１５と、表示部１６と、スピーカ１７と、カメラ１８と、電池１９と、電池監視部２０とから構成されている。アンテナ１１は、図示しない無線基地局から発射された電波Ｗを受信する。無線部１２は、アンテナ１１を介して無線データの送受信処理を行い、同アンテナ１１を介して電波Ｗを受信したとき、同電波Ｗに対応した受信信号Ｒを生成する。メモリ部１３は、ＲＡＭやＲＯＭなどで構成され、携帯電話機を動作させるための各種プログラムや、ユーザのＩＤ情報、電話番号などの当該携帯電話機に固有の情報を記憶している他、ユーザがダウンロードしたメロディや画像などのデータも記憶する。キー操作部１４は、たとえば、送信キー、英字／カナ／漢字／数字の変換キー、電源のオン／オフキー、カーソル操作を行うための十文字キー、及び終了キーなどから構成され、ユーザの操作により、文字などの入力や項目の選択などの各種操作を行うための手段である。
【００２２】
制御部１５は、当該携帯電話機全体を制御するＣＰＵ（中央処理装置）１５ａ及び同ＣＰＵ１５ａを動作させるための二次電池管理制御プログラムが記録されたＲＯＭ１５ｂを有している。表示部１６は、たとえば液晶表示装置などで構成され、電池１８の残存容量のレベルや日時などの各種情報の表示を行う。スピーカ１７は、着信音を鳴動することにより、ユーザに対して聴覚的に着信を通知する他、通話音声を発声する。カメラ１８は、たとえばＣＣＤカメラなどで構成され、当該携帯電話機近辺の画像を取り込む。電池１９は、たとえばリチウムイオン電池などの二次電池で構成され、当該携帯電話機の電源として用いられる。電池監視部２０は、現在から過去の一定期間における当該携帯電話機の使用状況に基づいて、現在以降の所定の期間内に電池１９に対する充電が必要か否かを判定し、必要と判定した場合、ユーザに対して同電池１９の充電を促すための充電勧告通知を行う。
【００２３】
図２は、図１中の電池監視部２０の電気的構成を示すブロック図である。
この電池監視部２０は、状態監視部２１と、演算部２２と、通知部２３と、記憶部２４，２５とから構成されている。状態監視部２１は、状態判断部２１ａと、時間計測部２１ｂとから構成されている。状態判断部２１ａは、制御部１５からの機能情報に基づいて、当該携帯電話機に装備されている各機能（たとえば、通話機能、待受け機能、カメラ機能、インターネット接続機能など）のうちの現在使用されている機能を判断し、この判断結果を記憶部２４に通知すると共に、同制御部１５からの計測開始指令に基づいて、時間計測部２１ｂに使用開始を通知する。時間計測部２１ｂは、状態判断部２１ａからの通知に基づいて、当該携帯電話機の使用時間を各機能毎に計測する。
【００２４】
記憶部２４は、たとえばＲＯＭなどで構成され、当該携帯電話機の単位時間あたりの電池消費量を表す単位時間消費量を各機能毎に予め記憶する。各機能毎の単位時間消費量は、たとえば、待受け時で３ｍＡ、通話時で３５０ｍＡなどとなっている。演算部２２は、記憶部２４に記憶されている単位時間消費量及び時間計測部２１ｂで計測された使用時間に基づいて各機能毎の電池消費量を算出し、記憶部２５に保存する。また、演算部２２は、記憶部２５に保存されている前回までの電池消費量を読み出し、今回の電池消費量と前回までの電池消費量とを加算した結果を再び同記憶部２５に保存する。記憶部２５は、たとえばＲＡＭなどで構成され、演算部２２で算出された各機能毎の電池消費量が現在から過去の一定期間内で累積されてなる期間内電池消費量データを記憶する。特に、この実施例では、期間内電池消費量データは、現在から２４時間前までの期間における電池消費量に設定されている。
【００２５】
通知部２３は、比較部２３ａを有している。比較部２３ａは、ＡＤＣ（Ａ／Ｄ変換器）２３ｂを有している。ＡＤＣ２３ｂは、電池１９の電圧ｖをＡ／Ｄ変換することにより、同電池１９の残存容量を検出する。比較部２３ａは、記憶部２５に記憶されている期間内電池消費量データと電池１９の残存容量とを比較し、同期間内電池消費量データよりも同残存容量の方が少ないとき、上記充電勧告通知を行う。特に、この実施例では、比較部２３ａは、ユーザにより設定された時刻に、状態判断部２１ａからの指令により上記充電勧告通知を行う。この充電勧告通知は、ユーザの設定により、視覚的又は聴覚的に行われる。
【００２６】
次に、この例の携帯電話機に用いられる二次電池管理方法の処理内容について説明する。
この携帯電話機では、現在から過去の一定期間における当該携帯電話機の使用状況に基づいて、現在以降の所定の期間内に電池１９に対する充電が必要か否かが判定され、必要と判定された場合、ユーザに対して同電池１９の充電を促すための充電勧告通知が行われる。すなわち、ユーザがキー操作部１４を操作することにより、状態監視開始時刻、状態監視報告時刻、及び状態監視報告通知方法が設定される。この後、状態監視開始時刻となったとき、次の処理が行われる。状態監視部２１中の状態判断部２１ａは、制御部１５からの機能情報に基づいて、待受け状態であることを記憶部２４に通知すると同時に時間計測部２１ｂに使用開始を通知する。時間計測部２１ｂは、この通知を受けることにより時間計測を開始する。記憶部２４は、予め記憶されている待受け状態時の単位時間あたりに消費する電池消費量（単位時間消費量）を演算部２２に出力する。
【００２７】
この後、ユーザが特定の機能（たとえば、通話機能、カメラ機能、メール機能、インターネット接続機能など）を使用した場合、状態判断部２１ａは、状態が変化したことを時間計測部２１ｂに通知する。時間計測部２１ｂは、待受け状態の時間を演算部２２に通知した後、ユーザが選択した機能に対する使用時間の計測を開始する。演算部２２は、時間計測部２１ｂからの待受け状態の時間と、記憶部２４から出力された単位時間消費量とから、待受け中に消費した電池消費量を演算して記憶部２５に送出する。この電池消費量は、記憶部２５で記憶される。ユーザにより選択された機能が終了したとき、状態判断部２１ａで待受け状態であることが判断される。そして、状態判断部２１ａから、状態が変化したことが時間計測部２１ｂに通知される。
【００２８】
時間計測部２１ｂは、ユーザが選択した特定の機能の使用時間を演算部２２に通知した後、待受け状態の使用時間の計測を開始する。演算部２２は、時間計測部２１ｂから送出される使用時間（単位時間消費量）と、記憶部２４から出力される特定の機能に必要とする電池消費量とから、消費した電池消費量を演算する。演算部２２は、演算結果に対して、記憶部２５から読み出した前回の待受け中に消費した電池消費量を加算した結果を再び同記憶部２５に送出する。この加算結果は、記憶部２５で記憶される。これらの動作は、ユーザが設定した状態監視報告時刻になるまで繰り返される。
【００２９】
ユーザが設定した状態監視報告時刻になったとき、状態判断部２１ａは、通知部２３中の比較部２３ａに通知する。この通知を受けた比較部２３ａは、状態監視開始から現在までに消費した電池消費量を記憶部２５から読み出し、同電池消費量と電池１９の残存容量とを比較し、同電池消費量が同残存容量よりも大きい場合、ユーザが設定した状態監視報告通知方法により通知を行う。この場合、たとえば、スピーカ１７から発信音やメロディが鳴動されると共に、表示部１６に従来の図７（ｃ）と同様の画面が表示される。ユーザは、この通知により電池１９を充電する行為を行う。この後、比較部２３ａは、電池１９に対する充電量と記憶部２５に記憶されている電池消費量とを比較し、同充電量が同電池消費量以上になったとき、設定されている状態監視報告通知方法を再度用いてユーザに通知した後、記憶部２５に記憶されている電池消費量をクリアする。
【００３０】
以上のように、この第１の実施例では、各機能毎の電池消費量が演算部２２で算出され、現在から過去の一定期間内で累積されて期間内電池消費量データとして記憶部２５に記憶される。比較部２３ａは、記憶部２５に記憶されている期間内電池消費量データと電池１９の残存容量とを比較し、同期間内電池消費量データが同残存容量よりも大きい場合、ユーザに充電勧告通知を行うので、同ユーザは、電池切れになる前に充電の必要性の有無を判断でき、電池残量を意識することなく、携帯電話機を使用できる。また、電池１９に対する充電量から単位時間あたりの充電量がわかるので、１日に必要とする電池消費量と単位時間あたりの充電量とを比較することにより、必要最低限の時間で充電することが可能となる。
【実施例２】
【００３１】
図３は、この発明の第２の実施例である携帯電話機の要部の電気的構成を示すブロック図であり、第１の実施例を示す図１中の要素と共通の要素には共通の符号が付されている。
この例の携帯電話機では、図１中の電池監視部２０に代えて、異なる機能を有する電池監視部２０Ａが設けられている。電池監視部２０Ａは、現在から複数日前（たとえば、１週間前）までの期間における当該携帯電話機の使用状況に基づいて、１日あたりの電池消費量を算出し、現在以降の１日以内に電池１９に対する充電が必要か否かを判定し、必要と判定した場合、ユーザに対して同電池１９の充電を促すための充電勧告通知を行う。他は、図１と同様の構成である。
【００３２】
図４は、図３中の電池監視部２０Ａの電気的構成を示すブロック図であり、第１の実施例を示す図２中の要素と共通の要素には共通の符号が付されている。
この電池監視部２０Ａでは、図２中の演算部２２、通知部２３及び記憶部２５に代えて、異なる機能を有する演算部２２Ａ、通知部２３Ａ及び記憶部２５Ａが設けられている。記憶部２５Ａは、演算部２２Ａで算出された各機能毎の電池消費量が現在から過去の一定期間内で累積されてなる期間内電池消費量データを記憶する。特に、この実施例では、期間内電池消費量データは、現在を基準として、たとえば１週間前までの期間における電池消費量に設定されている。演算部２２Ａは、演算部２２の機能に加え、記憶部２５Ａに記憶されている期間内電池消費量データ及び期間（１週間）に基づいて１日あたりの電池消費量を算出する。通知部２３Ａでは、図２中の比較部２３ａに代えて、比較部２３ｃが設けられている。比較部２３ｃは、比較部２３ａの機能に加え、演算部２２Ａで算出された１日あたりの電池消費量とＡＤＣ２３ｂで検出された電池１９の残存容量とを比較し、同電池１９の残余時間をユーザにより設定された時刻に通知する。この場合、たとえば、スピーカ１７から発信音が鳴動されると共に、表示部１６に電池１９の残余時間を表す画面が表示される。
【００３３】
以上のように、この第２の実施例では、１日あたりの電池消費量と電池１９の残存容量とが比較され、同電池１９の残余時間がユーザにより設定された時刻に通知されるので、同ユーザは、電池切れになる前に充電の必要性の有無を判断でき、電池残量を意識することなく、携帯電話機を使用できる。また、電池１９に対する充電量から単位時間あたりの充電量がわかるので、１日に必要とする電池消費量と単位時間あたりの充電量とを比較することにより、必要最低限の時間で充電することが可能となる。
【００３４】
以上、この発明の実施例を図面により詳述してきたが、具体的な構成は同実施例に限られるものではなく、この発明の要旨を逸脱しない範囲の設計の変更などがあっても、この発明に含まれる。
たとえば、第１の実施例では、状態監視開始時刻、状態監視報告時刻及び状態監視報告通知方法は、ユーザがキー操作部１４を操作することにより設定されたが、予め設定されていても良い。また、充電勧告通知は、視覚的又は聴覚的に行う他、触覚的に行っても良い。この場合、携帯電話機に機械的なバイブレータを設け、機械的な振動を同バイブレータで発生させる。
【産業上の利用可能性】
【００３５】
この発明は、二次電池を電源として動作する携帯電話機及び同携帯電話機に準ずる携帯情報端末などに適用できる。
【図面の簡単な説明】
【００３６】
【図１】この発明の第１の実施例である携帯電話機の要部の電気的構成を示すブロック図である。
【図２】図１中の電池監視部２０の電気的構成を示すブロック図である。
【図３】この発明の第２の実施例である携帯電話機の要部の電気的構成を示すブロック図である。
【図４】図３中の電池監視部２０Ａの電気的構成を示すブロック図である。
【図５】従来の携帯電話機の要部の電気的構成を示すブロック図である。
【図６】図５の携帯電話機における電池の残存容量の表示画面を示す図である。
【図７】図５の携帯電話機における電池の残存容量の表示画面を示す図である。
【符号の説明】
【００３７】
１１      アンテナ（携帯電話機の一部）
１２      無線部（携帯電話機の一部）
１３      メモリ部（携帯電話機の一部）
１４      キー操作部（携帯電話機の一部）
１５      制御部（携帯電話機の一部）
１６      表示部（携帯電話機の一部）
１７      スピーカ（携帯電話機の一部）
１８      カメラ（携帯電話機の一部）
１９      電池（二次電池）
２０，２０Ａ      電池監視部（二次電池管理手段）
２１      状態監視部
２１ａ      状態判断部
２１ｂ      時間計測部（計時手段）
２２，２２Ａ      演算部（演算手段）
２３，２３Ａ      通知部
２４      記憶部（第１の記憶手段）
２５，２５Ａ      記憶部（第２の記憶手段）
２３ａ      比較部（充電勧告通知手段）
２３ｂ      ＡＤＣ（Ａ／Ｄ変換器、残存容量検出手段）
２３ｃ      比較部（残余時間通知手段）
【図１】
2006033409.tif 000003
【図２】
2006033409.tif 000004
【図３】
2006033409.tif 000005
【図４】
2006033409.tif 000006
【図５】
2006033409.tif 000007
【図６】
2006033409.tif 000008
【図７】
2006033409.tif 000009